(57)【要約】【課題】  シート状のワークを取り上げるのに適した吸着治具とこの治具を用いた切り出し方法を提供する。【解決手段】  積層状態の最上位のシート状ワークＷの上面に吸着治具の筒体３の下端部を押し付けて吸引する。すると、筒体３の外側面とパッド２の内側面にて画成される空間Ｓが減圧され、この減圧によってパッド２が縮まる。このとき、最上位のシート状ワークＷはパッド２の内側部分において既に吸着されているので、筒体３の下端部で押し付けられている箇所を除いて、その周辺部が引き上げられ、結果として、最上位のシートとその下に位置するシートとの間に隙間ｇが形成される。【選択図】      図２
2005335928.tif 000002
【特許請求の範囲】
【請求項１】
シート状ワークの一部に押し当て、ワークとの間に形成された密閉空間を減圧して吸着する吸着治具において、この吸着治具は真空源につながるパイプ材の先端に伸縮自在なパッドが取り付けられ、このパッドの内側空間には筒体が設けられ、この筒体は内側が前記パイプ材の吸引通路に連通するとともに側面に吸引穴が形成されていることを特徴とする吸着治具。
【請求項２】
請求項１に記載の吸着治具において、前記筒体は外筒と内筒から構成され、外筒は内筒に対して相対的に回転可能とされ、この回転によって吸引穴の開口面積が調整可能とされていることを特徴とする吸着治具。
【請求項３】
請求項１または請求項２に記載の吸着治具において、前記伸縮自在なパッドは蛇腹から構成されていることを特徴とする吸着治具。
【請求項４】
請求項１乃至請求項３に記載の吸着治具を用いた積層シートの切り出し方法において、筒体の先端を最上位のシートに押し付けた状態で筒体の外側面とパッドの内側面にて画成される空間を減圧し、この減圧によってパッドを縮めて最上位のシートの筒体が押し付けられている部分の外側部分をパッドとともに引き上げ、最上位のシートとその下に位置するシートとの間に隙間を形成することを特徴とする積層シートの切り出し方法。
【発明の詳細な説明】
【技術分野】
【０００１】
本発明は、積層された樹脂シートなどを１枚づつ切り出す際に使用する吸着治具と、この吸着治具を用いた切り出し方法に関する。
【背景技術】
【０００２】
例えば、自動車のドア内側にはホールシールと称する防水を目的とした樹脂シートを取り付けるようにしている。斯かるホールシールは数十枚積み重ねた状態でストックしておき、この状態から吸着治具を用いて１枚づつ切り出すようにしている。
【０００３】
上記の吸着治具としては、特許文献１〜３に開示される構造が知られている。特許文献１，２に開示される吸着治具の構造は、図５に示すように、真空源につながるパイプ材の先端にカップ状のパッドを取り付け、またパイプ材を貫通して弁棒をパッド内に臨ませ、ワークを吸着する際に、弁棒の先端がワークに当接し、弁棒が後退したことを感知して吸引を開始するようにしている。また、特許文献３にはパッド内に緻密で透気性のフィルタを配置した構造が開示されている。
【０００４】
【特許文献１】特開平１１−１１４８６３号公報
【特許文献２】特開２００２−３６２５８６号公報
【特許文献３】特開平１−１６６６４０号公報
【発明の開示】
【発明が解決しようとする課題】
【０００５】
特許文献１，２に開示される一般的な吸着治具にあっては、シート状ワークを吸着する際に、ワークが図５に示すように、パッド内に吸込まれてしまい、シワや破れの原因となる。また、特許文献３に開示される吸着治具によれば、フィルタが存在するためパッド内に吸込まれることはないが、フィルタが存在するために吸引力が大幅に低下してしまう。
【０００６】
また、特許文献１〜３のいずれの先行技術にあっても、薄い樹脂シートなどを積層した状態から１枚づつ切り出そうとすると、最上位のシートとその下のシートとが密着しているため、複数のシートを同時に取り上げてしまうことがある。
【課題を解決するための手段】
【０００７】
上記課題を解決するため、本発明に斯かる吸着治具は、真空源につながるパイプ材の先端に伸縮自在なパッドを取り付け、このパッドの内側空間に筒体を設け、この筒体の内側を前記パイプ材の吸引通路に連通するとともに側面に吸引穴を形成した構成とした。
【０００８】
上記構成とすることで、例えば、積層された樹脂シートを上から１枚づつ切り出すにあたり、筒体の先端を最上位のシートに押し付けた状態で筒体の外側面とパッドの内側面にて画成される空間を減圧すると、この減圧によってパッドが縮み、最上位のシートの筒体が押し付けられている部分の外側部分がパッドとともに引き上げられ、最上位のシートとその下に位置するシートとの間に隙間が形成され、複数枚のシートが同時に取り上げられることがない。
【０００９】
前記筒体については外筒と内筒からからなる二重構造とし、外筒は内筒に対して相対的に回転可能とし、この回転によって吸引穴の開口面積を調整可能とすることも可能である。
また、前記パッドを蛇腹にて構成すれば、上下方向の伸縮が無理なく行なわれる。
【発明の効果】
【００１０】
本発明に係る吸着治具によれば、自動車のドア内側に配置するホールシール等の樹脂シートを、積層した状態から確実に１枚づつ切り出すことができる。
【発明を実施するための最良の形態】
【００１１】
以下に本発明の実施の形態を添付図面に基づいて説明する。図１は本発明に係る吸着治具の断面図であり、真空源につながるパイプ材１の先端にパッド２が取り付けられている。このパッド２は蛇腹にて構成され、極めて小さな力で上下方向に伸縮する。
【００１２】
また、パイプ材１の先端には筒体３が螺着している。この筒体３は上下方向に貫通する内径部４が前記パイプ材１の吸引通路５と略同径で連続しており、側面には前記内径部４に開口する吸引穴６が形成されている。
【００１３】
以上の構成からなる吸着治具を用いて、積層されたシート状ワークを上から１枚づつ切出すには、先ず図２（ａ）に示すように、積層されたシート状ワークの最上位のシート状ワークＷの上面に吸着治具の筒体３の下端部を押し付け、次いで、吸引を開始する。若しくは常時吸引している吸着治具の筒体３の下端部を押し付ける。
【００１４】
すると、図２（ｂ）に示すように、筒体３の外側面とパッド２の内側面にて画成される空間Ｓが減圧され、この減圧によってパッド２が縮まる。このとき、最上位のシート状ワークＷはパッド２の内側部分において既に吸着されているので、
筒体３の下端部で押し付けられている箇所を除いて、その周辺部が引き上げられ、結果として、最上位のシートとその下に位置するシートとの間に隙間ｇが形成される。
【００１５】
図３は別実施例に係る吸着治具の断面図、図４は図３のＡ−Ａ方向断面図であり、この実施例にあっては、筒体３の外側に調整用筒体７を筒体３に対して相対的に回転可能に取り付けている。この調整用筒体７の側面に筒体３に形成した吸引穴６と略同じ大きさの開口８を吸引穴６と同じ間隔で形成している。
【００１６】
而して、吸引力を強くしたい場合には、調整用筒体７を回転させて開口８を吸引穴６に完全に一致せしめ、吸引力を弱めたい場合には、開口８と吸引穴６とが一部において重なるようにする。
【００１７】
以上において、ホールシール（樹脂シート）を自動車のドア内側に貼り付けるには、積層したホールシールの最上位のホールシール上面に吸着治具の筒体３の下端部を押し付けて吸引する。すると、前記したように最上位のホールシールとその下のホールシールとの間に隙間ｇが形成され、１枚だけホールシールが分離される。次いで、図２（ｂ）に示す状態から吸着治具を約９０°旋回させホールシールが上下方向になるようにし、そのままドア内側にシーラーを介して貼着する。
【００１８】
ホールシールをドア内側に貼着する場合、ホールシールの上端部よりも若干下側部分を吸着治具のパッドでドア内側に押し付け、この後、ホールシールの上端部をスポンジなどで塗布されているシーラーに押し付けるようにしているが、従来の吸着治具の場合にはホールシールの一部が吸着治具のパッド内に吸込まれているため、当該パッドから食み出たホールシールの上端部は前方（ドア内側）に向かって倒れることになる。ホールシールの上端部が前方に倒れていると、ホールシールの上端部よりも若干下側部分よりも先に上端部がシーラーを塗布した箇所に接触し、貼着位置がずれてしまうことがある。
【００１９】
しかしながら、本発明によれば、吸着状態でパッド２の先端（下端）よりも筒体３の先端（下端）が前方に突出しているため、ホールシールの上端部は後方（ドア内側から離れる方向）に倒れる。このため、先にホールシールの上端部よりも若干下側部分をドア内側に当てた後にスポンジなどでホールシールの上端部をシーラーに押し付けることができ、正確な位置にホールシールを貼着することができる。
【産業上の利用可能性】
【００２０】
本発明に係る吸着治具は、積層状態にある樹脂シートなどを、上から１枚づつ切り出す場合に有効である。
【図面の簡単な説明】
【００２１】
【図１】本発明に係る吸着治具の断面図
【図２】（ａ）及び（ｂ）は本発明に係る吸着治具を用いた積層フィルムの切り出し方法を説明した図
【図３】別実施例に係る吸着治具の断面図
【図４】図３のＡ−Ａ方向断面図
【図５】従来の吸着パッドの構造を示す断面図
【符号の説明】
【００２２】
１…パイプ材、２…パッド、３…筒体、４…筒体の内径部、５…パイプ材内側の吸引通路、６…吸引穴、７…調整用筒体、８…開口、ｇ…隙間、Ｓ…空間、Ｗ…シート状ワーク。
【図１】
2005335928.tif 000003
【図２】
2005335928.tif 000004
【図３】
2005335928.tif 000005
【図４】
2005335928.tif 000006
【図５】
2005335928.tif 000007